(57)【要約】【課題】自己の動作確認が容易な電圧測定器を提供すること。【解決手段】本発明の電圧測定器１は、一端にプローブ３２、他端に接続端子３１が設けられた２本のリード線３０の接続端子３１をそれぞれ接続可能な２つの接続部２２と、接続端子３１が接続部２２に接続された状態で、２本のリード線３０のプローブ３２が、それぞれ接触した２か所の部位の間の電位差を検出可能な検出部１７と、検出部１７により検出された電位差を表示する表示部２０と、を備える電圧測定器１において、電圧測定器１の筐体の表面に設けられた２か所の接触部４１と、２か所の接触部４１の間に電位差を発生させる電源部１８と、をさらに備え、２本のリード線３０のプローブ３２を、それぞれ接触した２か所の接触部４１に接触させて２か所の接触部４１の間の電位差を検出することにより、自己の動作確認が可能である。【選択図】図１
2017156325.tif 000002
【特許請求の範囲】
【請求項１】
一端にプローブ、他端に接続端子が設けられた２本のリード線の前記接続端子をそれぞれ接続可能な２つの接続部と、
前記接続端子が前記接続部に接続された状態で、前記２本のリード線の前記プローブが、それぞれ接触した２か所の部位の間の電位差を検出可能な検出部と、
前記検出部により検出された前記電位差を表示する表示部と、を備える電圧測定器において、
前記電圧測定器の筐体の表面に設けられた２か所の接触部と、
前記２か所の接触部の間に電位差を発生させる電源部と、
をさらに備え、
前記２本のリード線の前記プローブを、それぞれ接触した前記２か所の接触部に接触させて前記２か所の接触部の間の電位差を検出することにより、自己の動作確認が可能な電圧測定器。
【請求項２】
前記２か所の接触部の間の距離は、２０ｍｍ〜６０ｍｍである、
請求項１に記載の電圧測定器。
【請求項３】
前記電源部は、前記電圧測定器の他の部分を動作する電源部と共通である
請求項１または２に記載の電圧測定器。
【発明の詳細な説明】
【技術分野】
【０００１】
本発明は、電圧測定器に関する。
【背景技術】
【０００２】
発電所や変電所では、電力保護回路が採用されている。電力保護回路は、異常が検知された場合に電力を遮断する。この遮断の際、トリップロック端子が用いられる。
トリップロック端子は、通常時は短絡片が接続されて閉路とされ、異常時や定期点検時には短絡片が外されて開路にされる。トリップ回路を開路にして所定の作業が行われ、作業が終了した後、トリップ回路は再度、閉路とされる。その際、電力保護回路の健全性の確認のため、トリップロック端子の電圧を電圧測定器で測定する（例えば、特許文献１参照）。
ここで、電圧測定器に不具合があると、トリップロック端子の電圧の正しい測定ができない。このため、電圧測定器の事前の動作確認が必要である。
【先行技術文献】
【特許文献】
【０００３】
【特許文献１】特開２０１２−１５９４０３号公報
【発明の概要】
【発明が解決しようとする課題】
【０００４】
従来、電圧測定器の動作確認は、電圧が発生している他の装置を用いるか、又は動作確認を行っていないのが現状である。電圧が発生している装置を用いる場合は準備作業が煩雑で、また、一人で確認しようとすると手間（時間）がかかる。
本発明は、自己の動作確認が容易な電圧測定器を提供することを目的とする。
【課題を解決するための手段】
【０００５】
（１）本発明は、一端にプローブ、他端に接続端子が設けられた２本のリード線の前記接続端子をそれぞれ接続可能な２つの接続部と、前記接続端子が前記接続部に接続された状態で、前記２本のリード線の前記プローブが、それぞれ接触した２か所の部位の間の電位差を検出可能な検出部と、前記検出部により検出された前記電位差を表示する表示部と、を備える電圧測定器において、前記電圧測定器の筐体の表面に設けられた２か所の接触部と、前記２か所の接触部の間に電位差を発生させる電源部と、をさらに備え、前記２本のリード線の前記プローブを、それぞれ接触した前記２か所の接触部に接触させて前記２か所の接触部の間の電位差を検出することにより、自己の動作確認が可能な電圧測定器である。
【０００６】
（２）前記２か所の接触部の間の距離は、２０ｍｍ〜６０ｍｍであることが好ましい。
【０００７】
（３）前記電源部は、前記電圧測定器の他の部分を動作する電源部と共通であることが好ましい。
【発明の効果】
【０００８】
本発明によれば、自己の動作確認が容易な電圧測定器を提供することを目的とする。
【図面の簡単な説明】
【０００９】
【図１】実施形態のテスターと、テスターに着脱可能なリード線との概略図である。
【図２】テスターのブロック図である。
【図３】セルフチェック時の２本のリード線の持ち方を説明する図である。
【発明を実施するための形態】
【００１０】
以下、本発明の実施形態について説明する。
実施形態は、電圧測定器として、直流・交流電圧、電流及び抵抗等の複数の測定機能を有するアナログ式のテスター１について説明する。ただし、これに限定されず、直流電圧のみ測定可能な電圧測定器であってもよく、また電圧測定器は、アナログ式に限らず、デジタル式であってもよい。
【００１１】
図１は実施形態のテスター１と、テスター１に着脱可能なリード線３０との概略図である。図２はテスター１のブロック図である。
【００１２】
まず、テスター１に着脱可能なリード線３０について説明する。
リード線３０は、１つのテスター１に対して２本取り付けられる。２本は、例えばプラス側取り付け用の赤色のリード線３０Ａと、マイナス側取り付け用の黒色のリード線３０Ｂとで色分けされている。このようにリード線３０を色分けすることにより、誤接続が防止される。
それぞれのリード線３０（３０Ａ，３０Ｂ）は、一端にテスター１の後述の接続部２２（２２Ａ，２２Ｂ）にそれぞれ取り付けられる接続端子３１（３１Ａ，３１Ｂ）、他端に測定対象物への接触用のプローブ３２（３２Ａ，３２Ｂ）が取り付けられている。
【００１３】
次に、実施形態のテスター１について説明する。
テスター１は、筐体１１と、筐体１１の表面に設けられ、測定対象項目や測定レンジの切り替えを行う選択部１２と、リード線３０の接続端子３１Ａ，３１Ｂがそれぞれ挿入される接続部２２Ａ，２２Ｂと、接続部２２Ａ，２２Ｂに接続された２本のリード線３０Ａ，３０Ｂのプローブ３２Ａ，３２Ｂがそれぞれ接触した二か所の部位の間の物理量（例えば電圧差、抵抗、電流等）を検出する検出部１７と、検出部１７により検出された物理量を表示する表示部２０と、電源部１８と、セルフチェック部４０と、を備える。
【００１４】
筐体１１は、テスター１の外周を覆い、測定者が片手で持ちやすい大きさに形成された絶縁樹脂製の中空ケースである。
【００１５】
選択部１２は、実施形態では筐体１１の表面に設けられ、筐体１１に対して回転可能なロータリースイッチ１３を備える。また、筐体１１におけるロータリースイッチ１３の周囲には、測定対象（直流・交流電圧、電流又は抵抗）を示す測定対象表示１４や測定レンジを示す測定レンジ表示１５が記載されている。
ロータリースイッチ１３を回転し、特定の測定対象表示１４や測定レンジ表示１５を選択することができる。
実施形態では、ロータリースイッチ１３が選択可能な測定対象表示１４及び測定レンジ表示１５の中に、後述のセルフチェック表示１６も含まれている。実施形態で、セルフチェック表示１６は、直流電圧で１２０Ｖレンジを選択した場合と同じ場所に位置する。
【００１６】
検出部１７は、選択部１２のロータリースイッチ１３により選択された測定対象表示１４に対応する測定対象を、選択部１２のロータリースイッチ１３により選択され測定レンジ表示１５に対応する測定レンジの範囲内で検出する。
【００１７】
表示部２０は、選択された測定対象及び測定レンジに対応したメモリが記されたパネルと、検出部１７で検出された値に応じて移動し、検出値に応じたメモリ上の数値を指し示す針２１とを備える。
例えば、選択部１２においてロータリースイッチ１３が、直流電圧、測定レンジ１２０Ｖを選択したとする。この場合、図１の表示部２０においては、最大メモリ（図中右側）が１２０Ｖと記載されたメモリにおいて針２１が指し示す数値が、検出部１７により検出された検出値である。
【００１８】
接続部２２Ａ，２２Ｂは、図示する実施形態では、筐体１１の表面の右側に設けられている。
一方の接続部２２Ａはプラス用で、他方の接続部２２Ｂはマイナス用である。接続部２２Ａに、赤色のプラス用のリード線３０Ａの接続端子３１Ａが差し込まれる。接続部２２Ｂに、黒色のプラス用のリード線３０Ｂの接続端子３１Ｂを差し込まれる。
そして、例えば、選択部１２においてロータリースイッチ１３により直流電圧が選択されている場合は、リード線３０Ａのプローブ３２Ａと、リード線３０Ｂのプローブ３２Ｂとが接触している部位の電位差が検出部１７によって検出される。
また、例えば、選択部１２においてロータリースイッチ１３により抵抗が選択されている場合は、リード線３０Ａのプローブ３２Ａと、リード線３０Ｂのプローブ３２Ｂとが接触している部位の間の抵抗値が検出部１７によって検出され。
【００１９】
電源部１８は、筐体１１内部に電池収納部を備え、電池収納部に所定の、例えば９Ｖの乾電池を収納可能である。電源部１８は、テスター１の選択部１２、検出部１７、表示部２０等を駆動する電力を供給する。
【００２０】
実施形態のテスター１は、セルフチェック部４０を有している。セルフチェック部４０は、プラス側接触部４１Ａとマイナス側接触部４１Ｂとを備える。
それらの２つの接触部４１Ａ，４１Ｂの間には、ロータリースイッチ１３によりセルフチェックが選択された場合（直流電圧で１２０Ｖレンジが選択された場合）、電源部１８より直流電圧が供給されて、電位差が発生する。
なお、実施形態では、接触部４１Ａ，４１Ｂの間に電位差を発生させる電源を、テスター第１全体を駆動する電源部１８と共通にしたが、これに限らず接触部４１Ａ，４１Ｂの間に電位差を発生させる電源を別途設けてもよい。
電圧測定器として、電圧以外の抵抗や電流を測定可能なテスターではなく、電圧のみ測定可能なものを使用する場合、電圧測定用の電源を有してないので、接触部４１Ａ，４１Ｂの間に電位差を発生させる電源を設ける。
【００２１】
選択部１２により、「セルフチェック」（直流電圧でレンジ１２０Ｖ）が選択された場合のみ、プラス側接触部４１Ａとマイナス側接触部４１Ｂとの間に電源部１８より電圧が供給される。
このように、選択部１２によって「セルフチェック」が選択されたときだけ電圧が供給されるようにすることで、電源部１８の電力消費量を抑えることができる。
【００２２】
図３は、セルフチェック時の２本のリード線３０の持ち方を説明する図である。接触部４１Ａに対する接触部４１Ｂの位置は、２本のリード線３０を箸を持つようにして持ち、プローブ３２Ａを接触部４１Ａに当接させたときに、プローブ３２Ｂを接触させやすい位置である。実施形態で接触部４１Ａと接触部４１Ｂとの間の距離は、１５ｍｍ〜５０ｍｍである。
また、接触部４１の大きさは、プローブ３２を接触させる時に接触させやすく、且つ、テスター１の筐体１１を拡大することのなく表面に配置可能な大きさが好ましい。したがって、好ましくは直径５ｍｍ〜２０ｍｍ程度である。形状は円形である。
【００２３】
次に、実施形態のテスター１によるセルフチェック動作の説明をする。
まず、接続部２２Ａに、赤色のプラス用のリード線３０Ａの接続端子３１Ａを差し込む。接続部２２Ｂに、黒色のプラス用のリード線３０Ｂの接続端子３１Ｂを差し込む。
ロータリースイッチ１３を回転して「セルフチェック」（直流電圧１２０Ｖ）を選択する。本実施形態によると、筐体１１に「セルフチェック」と記載されているのでロータリースイッチ１３による選択がしやすい。
【００２４】
図３に示すように、２本のリード線３０を箸を持つようにして片手で持ち、プローブ３２Ａを、セルフチェック部４０の接触部４１Ａに当接させる。そしてプローブ３２Ｂを接触部４１Ｂに当接させる。
このとき、接触部４１Ａと接触部４１Ｂとの間の距離は１５ｍｍ〜５０ｍｍであるので、２本のリード線３０を、箸を持つようにして片手で持ったときに、プローブ３２Ａ，３２Ｂを無理なく接触可能である。したがって、接触させやすい。
【００２５】
メータの針２１が、電源部１８の電圧値９Ｖを示せば、テスター１は正常である。
メータの針２１が、電圧値９Ｖを示さない場合、テスター１が故障、又は選択が誤っている可能性がある。
【００２６】
（１）本実施形態のテスター１は、互いの間に直流電圧が出力された接触部４１Ａ，４１Ｂを有するセルフチェック部４０を備えている。このため、接触部４１Ａ，４１Ｂの電位差を測定することで、テスター１の動作が正常であるかどうかをセルフチェックすることができる。
【００２７】
（２）実施形態では、接触部４１Ａ，４１Ｂの間に電位差を発生させる電源を、テスター第１全体を駆動する電源部１８と共通にしたので、セルフチェック用の電源を別途設ける必要がない。
【００２８】
（３）図３に示すように２本のリード線３０を箸を持つようにして片手で持ち、プローブ３２Ａ，３２Ｂを、セルフチェック部４０の接触部４１Ａ，４１Ｂに当接させることで、セルフチェックが可能であるので、操作が容易である。
【００２９】
（４）接触部４１Ａ，４１Ｂの距離は、２本のリード線３０を、箸を持つようにして片手で持ったときに、プローブ３２Ａ，３２Ｂを無理なく接触可能な位置であるので、接触させやすい。
【００３０】
（５）セルフチェック部４０は、単に、電源部１８により直流電圧が供給される接触部４１Ａ，４１Ｂを設けるという単純な構造であるので、製造が容易で、安価に設けることができる。
【００３１】
（６）テスター１のセルフチェックが容易になるので、テスター１による電圧等の測定前のセルフチェックを促進することができ、作業の安全性が向上される。
【００３２】
（７）実施形態では、セルフチェックでも１２０Ｖレンジが使用される。例えば、トリップロック回路を閉路とする前の保護装置の健全性の確認の際、レンジとして１２０Ｖが選択される。したがって、セルフチェックにおいてテスター１が正常動作しているか確認したのち、１２０Ｖのレンジを変更せずに保護装置の確認が可能である。
ゆえに、保護装置の確認の際に、レンジ間違いの可能性も低減される。
【符号の説明】
【００３３】
１  テスター
１１  筐体
１２  選択部
１３  ロータリースイッチ
１３  電源部
１７  検出部
２０  表示部
２２  接続部
３０  リード線
３１  接続端子
３２  プローブ
４０  セルフチェック部
４１Ａ，４１Ｂ  接触部
【図１】
2017156325.tif 000003
【図２】
2017156325.tif 000004
【図３】
2017156325.tif 000005